(57)【要約】      （修正有）【課題】半平面ビームスプリッタを使用して、マイクロ機械加工を施した干渉計が得られる。【解決手段】ビームスプリッタは、入射ビームＩを受容するように光結合しており、入射ビームをそれぞれ異なる媒体内を伝播する２つの干渉ビームＬ１、Ｌ２に分岐するように動作する。こうした媒体の一方に埋め込まれた固定鏡Ｍ２は、一方の干渉ビームＬ２を反射し、この干渉ビームを、上記媒体を通って半平面ビームスプリッタへ戻す。その一方で、アクチュエータによって制御される可動鏡Ｍ１は、他方の干渉ビームＬ１を反射して、この干渉ビームを他方の媒体を通って上記半平面ビームスプリッタへ戻す。検出面Ｄ１またはＤ２は、反射された干渉ビームＬ３、Ｌ４間の干渉によって生成された干渉パターンを検出する。【選択図】図１
2008102132.tif 000002
【特許請求の範囲】
【請求項１】
マイクロ機械加工を施した干渉計であって、
入射ビーム（Ｉ）を受容し、前記入射ビーム（Ｉ）をそれぞれ異なる媒体内を伝播する２つの干渉ビーム（Ｌ１、Ｌ２）に分岐するように光結合した半平面ビームスプリッタと、
第１反射干渉ビーム（Ｌ４）を生成するように、前記２つの干渉ビームのうちの第１のビーム（Ｌ２）を受容し、前記２つの干渉ビームのうちの第１のビーム（Ｌ２）を反射して前記半平面ビームスプリッタへ戻すように光結合した、第１媒体内に埋め込まれた固定鏡（Ｍ２）と、
第２反射干渉ビーム（Ｌ３）を生成するように、前記２つの干渉ビームのうちの第２のビーム（Ｌ１）を受容し、前記２つの干渉ビームのうちの第２のビーム（Ｌ１）を反射して前記半平面ビームスプリッタへ戻すように光結合した、第２媒体内の可動鏡（Ｍ１）と、
前記第１反射干渉ビーム（Ｌ４）と前記第２反射干渉ビーム（Ｌ３）の間の干渉によって生成された干渉パターンを検出するように光結合した検出平面（Ｄ１またはＤ２）と、
前記可動鏡（Ｍ１）の変位を生じさせるように前記可動鏡（Ｍ１）に結合したアクチュエータ（４０）と、によって特徴付けられ、前記変位によって、前記２つの干渉ビーム（Ｌ１、Ｌ２）の間の光路長の差が前記変位の２倍の長さと等しくなる、干渉計。
【請求項２】
前記第１媒体はシリコンであり、前記第２媒体は空気である、請求項１に記載の干渉計。
【請求項３】
前記第１媒体はシリコン、ガラス、パイレックス、または石英であり、前記第２媒体はガスまたは液体である、請求項1に記載の干渉計。
【請求項４】
前記固定鏡（Ｍ２）と前記可動鏡（Ｍ１）は金属製の鏡である、請求項1に記載の干渉計。
【請求項５】
前記固定鏡と前記可動鏡は非金属製の垂直ブラッグミラーである、請求項1に記載の干渉計。
【請求項６】
前記干渉計はマイケルソン干渉計、マッハツェンダー干渉計、またはトワイマングリーン干渉計である、請求項１に記載の干渉計。
【請求項７】
前記干渉ビームの前記第１のビーム（Ｌ２）は、前記半平面ビームスプリッタにより前記入射ビーム（Ｉ）を部分伝達させることで生成され、前記干渉ビームの前記第２のビーム（Ｌ１）は、前記入射ビーム（Ｉ）を前記半平面ビームスプリッタから部分的に反射させることで生成され、前記干渉ビームの前記第２のビーム（Ｌ１）の反射角度は、前記入射ビーム（Ｉ）の入射角と等しい、請求項１に記載の干渉計。
【請求項８】
頂部層（３１０）、底部層（３００）、前記頂部層（３１０）と前記底部層（３００）の間に埋め込んだＳＯＩ酸化層（３０５）を含むシリコン・オン・インシュレータ（ＳＯＩ）ウェーハを使用して、マイクロ機械加工を施した干渉計を製造する方法であって、
入射ビーム（Ｉ）を受容するように光結合したファイバ溝（２０）と、前記入射ビーム（Ｉ）を２つの干渉ビーム（Ｌ１、Ｌ２）に分岐するように光結合した半平面ビームスプリッタと、前記干渉ビームの一方（Ｌ１）を第１媒体を通って反射させるように光結合した可動鏡（Ｍ１）と、前記干渉ビームの他方（Ｌ２）を第２媒体を通って反射させるように光結合した固定鏡（Ｍ２）と、前記反射された干渉ビーム（Ｌ３、Ｌ４）から生成された干渉パターンを検出するように光結合した検出面（Ｄ２）と、前記可動鏡（Ｍ１）を制御するように結合したアクチュエータ（４０）と、を前記ＳＯＩウェーハの前記頂部層（３１０）内にフォトリソグラフィ的に定めることと、
前記ＳＯＩウェーハの前記頂部層（３１０）と前記ＳＯＩウェーハの前記底部層（３００）の間にエッチングを施し、その後前記ＳＯＩに埋め込んだ酸化物層を部分的に除去することで前記可動鏡（Ｍ１）と前記アクチュエータ（４０）を解放することとによって特徴付けられる方法。
【請求項９】
前記フォトリソグラフィ的に定めるステップは、
前記頂部層（３１０）上にアルミニウム層（３１５）を形成するステップと、
前記アルミニウム層（３１５）上にフォトレジスト層（３２０）を形成するステップと、
前記フォトレジスト層（３２０）内にリソグラフィパターンを定めるステップであって、前記リソグラフィパターンは前記ファイバ溝（２０）、半平面ビームスプリッタ、可動鏡（Ｍ１）、固定鏡（Ｍ２）、検出面（Ｄ２）およびアクチュエータ（４０）を定めるステップと、
ディープ・リアクティブ・イオン・エッチング法を用いて前記アルミニウム層（３１５）と前記頂部層３１０をエッチングすることで、前記リソグラフィパターンを前記ＳＯＩウェーハの前記頂部層（３１０）に転写させるステップと、
前記フォトレジスト層（３２０）を除去するステップと、
をさらに備える、請求項８に記載の方法。
【請求項１０】
シャドーマスク（３４０）を提供するステップと、
前記シャドーマスク（３４０）を、前記ＳＯＩウェーハの前記フォトリソグラフィ的に定めた頂部層（３１０）上に配置するステップと、
前記シャドーマスク（３４０）を介して金属材料をスパッタリングすることで、前記半平面ビームスプリッタを保護しながら、前記固定鏡（Ｍ２）と前記可動鏡（Ｍ１）上に金属層（３３０）を形成するステップと、
をさらに備える、請求項８に記載の方法。
【発明の詳細な説明】
【技術分野】
【０００１】
本発明は概して光学ＭＥＭＳに関し、特にマイクロ機械加工を施した干渉計に関する。
【背景技術】
【０００２】
マイクロ電子機械システム（ＭＥＭＳ）は、マイクロ製造技術による一般的なシリコン基板上への機械部品、センサ、アクチュエータ、電子機器の統合を意味する。例えば、マイクロ電子機器は一般に集積回路（ＩＣ）処理を用いて製造され、一方、マイクロ機械構成部品は、シリコンウェーハの各部を選択的にエッチングして除去するか、あるいは新たな構造層を追加して機械および電子機械構成部品を形成する、相性の良いマイクロ機械処理を用いて製造される。ＭＥＭＳ装置は、その低コスト、バッチ処理機能、標準的なマイクロ電子機器との互換性のために、分光法、形状測定、環境センシング、屈折率測定（または材料認識）、さらにこれ以外のいくつかのセンサ用途の使用にとって魅力のある候補である。これに加え、小型のＭＥＭＳ装置により、ＭＥＭＳ装置を組み込んだ設備、例えばＭＥＭＳベースのマイケルソン干渉計をモバイルおよびハンドヘルド型装置に統合できるようになる。
【０００３】
さらに、ＭＥＭＳ技術とその様々な作動技法は、光学調整機能や動的センシング用途といったフォトニック装置の新規機能および新規特徴の実現を可能にする。例えば、ＭＥＭＳ作動（静電、磁気、熱）を用いてマイケルソン干渉計の可動鏡を制御することで、干渉計光路長に小さな変位を導入することができ、その結果、干渉ビームどうしの間に位相差が生じる。この位相差を用いて、干渉計ビームのスペクトル応答（例えば、フーリエ変換分光を用いる）や移動鏡の速度（例えば、ドップラー効果を用いる）を測定し、あるいはこの位相差を単純に光学位相遅延要素として使用することができる。
【０００４】
ＭＥＭＳベースのマイケルソン干渉計は、シリコン・オン・インシュレータ（ＳＯＩ）技術を用いて実現されてきた。この場合、ビーム分岐を、シリコン（Ｓｉ）またはガラスの薄い壁を用いて実行する。しかし、現在のＭＥＭＳベースのマイケルソン干渉計の性能は、シリコンまたはガラスの壁の厚さに大きく依存する。実際には、パフォーマンスの再現可能性が製造処理パラメータに対して非常に敏感であるため、こうした装置の産業化には多くの問題が伴ってきた。従来の薄いシリコン壁ビームスプリッタを使用する上での別の問題に「ビーム分岐比」のスペクトル感度がある。これは、ビームスプリッタの２つのシリコン／空気界面が寄生ファブリ・ペロー効果に寄与することで、波長に対する電力分岐比が変調されるために起こる。当然ながら、この寄生効果によって、異なる波長での動作が生じてノイズが導入されるため、マイケルソン干渉計の性能が劣化する。従来のビームスプリッタに伴う問題には、これ以外にも、スプリッタの２つの面から２つに分離されたビームの干渉がある。Ｖｉｄｒｉｎｇ等による米国特許第４，６３２，５５３号において、楔形に構成されたシリコンビームスプリッタが提案されている。この楔形は、分離されたビームの干渉を避けるために角度の異なる２つの分岐面を採用したものである。しかし、この楔形のビームスプリッタはビーム分離の問題は解決できても、製造公差や、「ビーム分岐比」の波長への寄生依存といった同じ問題には依然として直面したままである。
【発明の開示】
【発明が解決しようとする課題】
【０００５】
したがって、ロバスト性と精密性の高いマイクロ機械加工を施した干渉計が必要である。特に、製造処理に対するより高い許容性と、ビーム分岐比のより安定したスペクトル応答とを有する、マイクロ機械加工を施した干渉計が必要である。
【課題を解決するための手段】
【０００６】
本発明の実施形態は、波長依存型のロバストな干渉計を製造するように半平面ビームスプリッタを使用する、マイクロ機械加工を施した干渉計を提供する。このビームスプリッタは、入射ビームを受容するように光結合し、この入射ビームをそれぞれ別の媒体内を伝播する２つの干渉ビームに分岐させるように動作する。一方の媒体内に埋め込まれた固定鏡は一方の干渉ビームを反射し、この干渉ビームを上記媒体を通って半平面ビームスプリッタへ戻す。これに対し、アクチュエータにより制御される可動鏡は他方の干渉ビームを反射し、この干渉ビームを他方の媒体を通って半平面ビームスプリッタへ戻す。検出面は、反射された干渉ビーム間の干渉によって生成された干渉パターンを検出する。ある例示的な実施形態では、アクチュエータが可動鏡を変位させることで、２つの干渉ビーム間の光路長に可動鏡の変位の２倍に等しい長さの差が生じる。
【０００７】
一実施形態では、第１媒体はシリコンであり、第２媒体は空気である。別の実施形態では、第１媒体はシリコンまたはガラスであり、第２媒体はガスまたは液体である。さらに別の実施形態では、鏡は金属鏡または非金属製の垂直ブラッグミラーである。
【０００８】
本発明の実施形態はさらに、マイクロ機械加工を施した干渉計の製造方法を提供する。この方法は、頂部層と底部層を含んだシリコン・オン・インシュレータ(ＳＯＩ)ウェーハを提供するステップを備える。この方法はまた、入射ビームを受容するように光結合したファイバ溝と、入射ビームを２つの干渉ビームに分岐するように光結合した半平面ビームスプリッタと、干渉ビームの一方を第１媒体を通って反射させるように光結合した可動鏡と、干渉ビームの他方を第２媒体を通って反射させるように光結合した固定鏡と、反射された干渉ビームから生成された干渉パターンを検出するように光結合した検出面と、可動鏡を制御するように結合したアクチュエータとを、ＳＯＩウェーハの頂部表面内にフォトリソグラフィ的に定めるステップを備える。該方法はさらに、ＳＯＩウェーハの頂部層と底部層の間にエッチングを施して、可動鏡とアクチュエータを解放するステップを備えている。
【０００９】
以下の詳細な説明を添付の図面と共に参照することで、本発明をより完全に理解することができる。
【発明を実施するための最良の形態】
【００１０】
本発明の実施形態によれば、分光測定、形状測定、振動測定、環境センシング、通信等のような用途に用いる、マイクロ機械加工を施した干渉計において、単一のシリコン／空気界面（半平面）を使用してビーム分岐を実行する。本発明の実施形態では、干渉計は例えばマイケルソン干渉計、マッハツェンダー干渉計、トワイマングリーン干渉計であってよい。しかし簡潔にするために、本発明はマイケルソン干渉計に関連して説明される。ＭＥＭＳによって作動される移動鏡を可能にするために、干渉計はＳＯＩウェーハ上で実現される。シリコン／空気界面スペクトル応答はシリコンスペクトルウィンドウにわたって不変であるため、干渉計分岐比は従来のシリコン壁ビームスプリッタのように波長に依存することがない。
【００１１】
つぎに図１を参照すると、シリコン／空気界面ビームスプリッタＳ１は、入射ビームＩから角度θ１（例えば４５度）で位置決めされている。そのため、入射ビームが２つのビームＬ１、Ｌ２に分岐される。Ｌ１は空中伝播し、Ｌ２はシリコン内を伝播する。Ｌ１は、シリコン／空気半平面ビームスプリッタＳ１からの入射ビームＩの部分反射より発生しているため、ビーム入射角θ１と等しい反射角度を有する。Ｌ１が空中を伝播して鏡Ｍ１で反射され、反射ビームＬ３が生じる。
【００１２】
Ｌ２は、シリコン／空気半平面ビームスプリッタＳ１を通る入射ビームＩの部分伝播から発生し、シリコン内を角度θ２（スネルの法則により決定される）で伝播する。Ｌ２は、シリコン内を伝播して鏡Ｍ２によって反射され、反射ビームＬ４を生じる。鏡Ｍ２は、ビームＬ２に対して垂直な角度でシリコン媒体内に固定され埋め込まれている。図１に示すように、ビームＬ３、Ｌ４の両方は、それぞれ鏡Ｍ１、Ｍ２で反射された後に同一の光路を辿り（方向は反対）、これにより、例えば光検出器であってよい検出面Ｄ１、Ｄ２のいずれかの上で検出できる干渉パターン（点線で示す）が生じる。ある例示的な実施形態では、ＳＯＩ静電櫛形ドライブの作動を使用して鏡Ｍ１を動かすことで、光路長の差を鏡変位の２倍に等しい長さにすることができる。
【００１３】
図２は、本発明の実施形態によるマイクロ機械加工を施した干渉計１０のレイアウト線図である。マイクロ機械加工を施した干渉計１０は、シリコン／空気半平面ビームスプリッタＳ１、入力ファイバ溝２０および出力ファイバ溝３０、移動鏡Ｍ１、固定鏡Ｍ２、静電アクチュエータ４０を備えている。ある例示的な実施形態では、図２に示すように、静電アクチュエータ４０は櫛形ドライブ４２とばね４４で形成されている。
【００１４】
ある例示的な動作では、入射ビームＩは入力ファイバ溝２０を通って装置１０内に入る。入射ビームＩは、半平面ビームスプリッタＳ１に衝突すると２つのビームＬ１、Ｌ２に分岐する。Ｌ１は空中を伝播して鏡Ｍ１に到達し、Ｌ２はシリコン内を伝播して鏡Ｍ２へ到達する。鏡Ｍ２は、ビームＬ２に対して垂直な角度でシリコン媒体内に固定および埋め込まれている。しかし、上述したように、鏡Ｍ１はＭＥＭＳ静電アクチュエータ４０を使用して移動可能であり、ビームＬ１とＬ２の間の光路長の差を鏡変位の２倍の長さにすることができる。例えば、櫛形ドライブ４２に電圧を印加するとアクチュエータ４０に電位差が生じ、これによりアクチュエータ内に静電容量が誘発され、ばね４２から駆動力および復元力が生じることで、鏡Ｍ１がビームＬ１を反射する所望の位置へ変位される。
【００１５】
図２に示すように、ビームＬ１、Ｌ２は、鏡Ｍ１、Ｍ２でそれぞれ反射された後に同一の光路を辿り（方向は反対）、これにより、検出面Ｄ２上で検出可能な、あるいは出力ファイバ溝３０を介して出力可能な干渉パターン（点線で示す）が生じる。上述したように、検出面Ｄ２は、例えば、基板内にマイクロ機械加工で組み立てた（例えば、基板の頂面をエッチング加工し、光検出器を内部に配置できる開口部を実現した）、または、ドーピング（例えば、Ｐ−Ｉ−Ｎダイオードを実現するためのもの）や部分金属被覆（例えば、金属−半導体−金属ＭＳＭ光検出器を実現するためのもの）のいずれかによって基板内にモノリシックに実現された光検出器であってよい。
【００１６】
一実施形態では、鏡Ｍ１、Ｍ２は金属鏡であり、この場合、ビームスプリッタを保護するために選択的な金属被覆（例えば、金属被覆ステップ中にシャドーマスクを使用する）が用いられる。別の実施形態では、垂直ブラッグミラーを使用して、省スペースな干渉計を実現している。ブラッグミラーは、ディープ・リアクティブ・イオン・エッチング法（ＤＲＩＥ）を用いて実現できるため、連続した垂直シリコン／空気界面が生成される。これに加え、ブラッグミラーは、用途に応じて、単純な反射装置として機能する幅広いスペクトル反射応答を有するように、または波長選択応答を有するように設計できる。
【００１７】
ここではシリコン／空気界面をビームスプリッタ用として説明しているが、本発明は、これ以外にも半波長面を提供する材料を使用して実現することも可能である。例えば、別の例示的な実施形態では、マイクロ機械加工を施した、または組み立てた、パイレックスのようなガラス半平面あるいは他の材料をシリコンの代わりに使用して、動作のより幅広いスペクトルウィンドウを得ることができる。さらに、空気の代わりに例えば液体や各種ガスといった別の材料を使用して、半平面ビーム分岐界面の反射係数を変更するある程度の自由を提供することも可能である。
【００１８】
図３Ａ乃至図３Ｊに、マイクロ機械加工した干渉計のある例示的な製造処理を示す。図３Ａでは、ＳＯＩウェーハ（層３００乃至３１０）にアルミニウムスパッタリング工程を実施してアルミニウム層３１５を形成している。このアルミニウム層３１５は、以降の、図３Ｅに示すような、ＤＲＩＥを使用したＳＯＩウェーハの頂部シリコン層３１０のエッチング加工においてマスクとして機能する。図３Ｂでは、アルミニウム層にフォトレジスト材料３２０を塗布している。図３Ｃでは、リソグラフィ工程を実行して、鏡、半平面ビームスプリッタ、ファイバ溝、（１つまたは複数の）検出器、静電アクチュエータを実現している。図３Ｄに示すように、アルミニウム層のプラズマ塩素エッチングによって、フォトレジスト材料３２０内のリソグラフィパターンがアルミニウムマスク３１５へ転写される。つぎに、図３Ｅに示すように、ＳＯＩの酸化物エッチング停止層３０５に達するまでウェーハにＤＲＩＥを施す。最後に、図３Ｆで、アルミニウムエッチングを用いて残りのアルミニウムマスク３１５を除去する。
【００１９】
つぎに図３Ｉを参照すると、マイケルソン鏡に選択的な金属被覆を施すため、並びに接続パッドを作成するために、シャドーマスク３４０を使用している。図３Ｉに示すように、シャドーマスク３４０をＳＯＩ基板３００乃至３１０上に配置して、頂部シリコン層３１０の所望部分上にＣｒ／Ａｕ３３０を選択的にスパッタリングする。ブラッグミラーのような非金属製の鏡を使用する実施形態ではシャドーマスク工程は実行されず、金属被覆の厚さが以降の処理工程に耐え得るものである場合には、開始時にパッドの金属被覆を実行することができる。図３Ｊに示すように、埋め込んだＳｉＯ２層３０５をＨＦを用いてエッチングすることで、櫛形フィンガ、ばね、移動鏡といった移動構造が解放され、一方、固定構造は、その下により広いＳｉＯ２範囲があるために解放されない。
【００２０】
ボッシュ法を使用してＤＲＩＥエッチング（図３Ｅに示す）を実行する実施形態では、この処理の周期的性質により、仕上がりの鏡面は粗くなる場合がある。そのため、構造を解放する前に、図３Ｇに示すように表面上に薄い酸化物層３２５を成長させ、図３Ｈに示すようにこれをＨＦによって除去することは、より滑らかな鏡面を確保するために有効である。しかし、図３Ｅで極低温のＤＲＩＥ処理を使用する場合には、より滑らかな表面がエッチング直後に得られるため、図３Ｇ、図３Ｈに示す処理工程は不要となる。さらに、上記処理は、極低温温度におけるフォトレジスト材料とシリコン間の選択性に優れる傾向があるため、図３Ａに示すアルミニウムマスクも不要となる。
【００２１】
図４Ａ乃至図４Ｆに、シャドーマスクを作成する例示的な処理を示す。図３Ｉに関連して上述したように、シャドーマスクは、半平面ビームスプリッタを保護しながら鏡の適度な金属被覆を確保するために、ウェーハを選択的に金属被覆する際に使用される。図４Ａに示すように、シャドーマスクを作成するには、まず、例えばアルミニウムスパッタリングを用いて、シリコンウェーハ４００上に金属層４１０を形成する。つぎに、図４Ｂに示すように、ウェーハ４００の両側にフォトレジスト材料４２０、４３０を塗布する。頂部フォトレジスト材料４３０がリソグラフィに使用され、底部フォトレジスト材料４２０がエッチング停止部として機能する。
【００２２】
その後、図４Ｃに示すように頂部層４３０にリソグラフィを実行し、つぎに、図４Ｄに示すように、アルミニウム層４１０に塩素プラズマエッチングを施す。図４Ｅでは、ＤＲＩＥを用いて、シリコンウェーハ４００のエッチングが、ウェーハ４００の底部上のフォトレジスト材料４２０に到達するまで実行される。最後に、図４Ｆに示すようにウェーハの頂部および底部上のフォトレジスト材料４２０、４３０を除去してシャドーマスクが完成する。
【００２３】
当業者は、本出願において説明した革新的な概念を幅広い用途にかけて修正および変更できることを理解するだろう。したがって、特許範囲の主題は、ここで説明した特定の例示的な教示によって制限されるのではなく、添付の特許請求の範囲によって定義されるべきである。
【図面の簡単な説明】
【００２４】
【図１】本発明の実施形態によるマイクロ機械加工を施した干渉計の例示的な動作を示す絵画的線図である。
【図２】本発明の実施形態による例示的なマイクロ機械加工を施した干渉計のレイアウト線図である。
【図３Ａ】本発明の実施形態によるマイクロ機械工作を施した干渉計を製造するための、例示的な製造処理工程を示す。
【図３Ｂ】本発明の実施形態によるマイクロ機械工作を施した干渉計を製造するための、例示的な製造処理工程を示す。
【図３Ｃ】本発明の実施形態によるマイクロ機械工作を施した干渉計を製造するための、例示的な製造処理工程を示す。
【図３Ｄ】本発明の実施形態によるマイクロ機械工作を施した干渉計を製造するための、例示的な製造処理工程を示す。
【図３Ｅ】本発明の実施形態によるマイクロ機械工作を施した干渉計を製造するための、例示的な製造処理工程を示す。
【図３Ｆ】本発明の実施形態によるマイクロ機械工作を施した干渉計を製造するための、例示的な製造処理工程を示す。
【図３Ｇ】本発明の実施形態によるマイクロ機械工作を施した干渉計を製造するための、例示的な製造処理工程を示す。
【図３Ｈ】本発明の実施形態によるマイクロ機械工作を施した干渉計を製造するための、例示的な製造処理工程を示す。
【図３Ｉ】本発明の実施形態によるマイクロ機械工作を施した干渉計を製造するための、例示的な製造処理工程を示す。
【図３Ｊ】本発明の実施形態によるマイクロ機械工作を施した干渉計を製造するための、例示的な製造処理工程を示す。
【図４Ａ】本発明の実施形態によるシャドーマスクを製造するための例示的な製造処理工程を示す。
【図４Ｂ】本発明の実施形態によるシャドーマスクを製造するための例示的な製造処理工程を示す。
【図４Ｃ】本発明の実施形態によるシャドーマスクを製造するための例示的な製造処理工程を示す。
【図４Ｄ】本発明の実施形態によるシャドーマスクを製造するための例示的な製造処理工程を示す。
【図４Ｅ】本発明の実施形態によるシャドーマスクを製造するための例示的な製造処理工程を示す。
【図４Ｆ】本発明の実施形態によるシャドーマスクを製造するための例示的な製造処理工程を示す。
【図１】
2008102132.tif 000003
【図２】
2008102132.tif 000004
【図３Ａ】
2008102132.tif 000005
【図３Ｂ】
2008102132.tif 000006
【図３Ｃ】
2008102132.tif 000007
【図３Ｄ】
2008102132.tif 000008
【図３Ｅ】
2008102132.tif 000009
【図３Ｆ】
2008102132.tif 000010
【図３Ｇ】
2008102132.tif 000011
【図３Ｈ】
2008102132.tif 000012
【図３Ｉ】
2008102132.tif 000013
【図３Ｊ】
2008102132.tif 000014
【図４Ａ】
2008102132.tif 000015
【図４Ｂ】
2008102132.tif 000016
【図４Ｃ】
2008102132.tif 000017
【図４Ｄ】
2008102132.tif 000018
【図４Ｅ】
2008102132.tif 000019
【図４Ｆ】
2008102132.tif 000020
【外国語明細書】
１. Title of Invention
2008102132.tif 000021
２. Detailed Description of Invention
2008102132.tif 000022
2008102132.tif 000023
2008102132.tif 000024
2008102132.tif 000025
2008102132.tif 000026
2008102132.tif 000027
2008102132.tif 000028
2008102132.tif 000029
2008102132.tif 000030
2008102132.tif 000031
2008102132.tif 000032
３. Brief Description of Drawings
2008102132.tif 000033
Claims
2008102132.tif 000034
2008102132.tif 000035
2008102132.tif 000036
2008102132.tif 000037
1. Abstract
2008102132.tif 000038
2. Representative Drawing
Fig. 1
2008102132.tif 000039
Figure１
2008102132.tif 000040
Figure２
2008102132.tif 000041
Figure３Ａ
2008102132.tif 000042
Figure３Ｂ
2008102132.tif 000043
Figure３Ｃ
2008102132.tif 000044
Figure３Ｄ
2008102132.tif 000045
Figure３Ｅ
2008102132.tif 000046
Figure３Ｆ
2008102132.tif 000047
Figure３Ｇ
2008102132.tif 000048
Figure３Ｈ
2008102132.tif 000049
Figure３Ｉ
2008102132.tif 000050
Figure３Ｊ
2008102132.tif 000051
Figure４Ａ
2008102132.tif 000052
Figure４Ｂ
2008102132.tif 000053
Figure４Ｃ
2008102132.tif 000054
Figure４Ｄ
2008102132.tif 000055
Figure４Ｅ
2008102132.tif 000056
Figure４Ｆ